(57)【要約】【課題】ハウジングの一部を露出させることによって斬新なデザイン性が得られる車両用灯具を提供すること。【解決手段】ハウジング２とその開口部を覆うレンズ３によって画成される灯室内に、少なくともバルブ（光源）８，１０，１１と、該バルブ８，１０，１１からの光を反射させるリフレクタ９，１２と、該リフレクタ９，１２と前記ハウジング２との間の隙間を覆うエクステンション７を収容して成るコンビネーションヘッドランプ（車両用灯具）１において、前記ハウジング２の前記レンズ３が回り込む一側部を前記エクステンション７から露出させ、該露出部２Ａが前記レンズ３を介して直視できるよう構成する。又、前記ハウジング２は樹脂成形品であって、該ハウジング２の成形時に前記露出部２Ａに発生するウェルドラインを前記エクステンション７の延長部で覆う。【選択図】図３
2014120299.tif 000002
【特許請求の範囲】
【請求項１】
ハウジングとその開口部を覆うレンズによって画成される灯室内に、少なくとも光源と、該光源からの光を反射させるリフレクタと、該リフレクタと前記ハウジングとの間の隙間を覆うエクステンションを収容して成る車両用灯具において、
前記ハウジングの前記レンズが回り込む一側部を前記エクステンションから露出させ、該露出部が前記レンズを介して直視できるよう構成したことを特徴とする車両用灯具。
【請求項２】
前記ハウジングは樹脂成形品であって、該ハウジングの成形時に前記露出部に発生するウェルドラインを前記エクステンションの延長部で覆ったことを特徴とする請求項１記載の車両用灯具。
【発明の詳細な説明】
【技術分野】
【０００１】
本発明は、ヘッドランプ等の車両用灯具に関するものである。
【背景技術】
【０００２】
例えば、車両の前端左右に配置されるヘッドランプは、ハウジングとその前面開口部を覆うレンズによって画成される灯室内に、少なくとも光源と、該光源からの光を反射させるリフレクタと、該リフレクタと前記ハウジングとの間の隙間を覆うエクステンションを収容して構成されている（例えば、特許文献１参照）。
【先行技術文献】
【特許文献】
【０００３】
【特許文献１】特開２００９−０８７７８７号公報
【発明の概要】
【発明が解決しようとする課題】
【０００４】
ところで、ヘッドランプ等の車両用灯具においては、ハウジングは有彩色（例えば黒色）の光不透過性樹脂の射出成形によって構成されているが、従来はこのハウジングの灯室内に臨む部分はエクステンション等によってその全てが覆われ、レンズを介してハウジングの一部が直視されることはなかった。
【０００５】
本発明者は、ハウジングの一部を敢えて露出させ、エクステンションやリフレクタとは異なる色彩のハウジングの一部をレンズを介して直視することができるよう構成すれば、車両用灯具に斬新なデザイン性が付与されるものと考えた。
【０００６】
本発明は上記観点に鑑みてなされたもので、その目的とする処は、ハウジングの一部を露出させることによって斬新なデザイン性が得られる車両用灯具を提供することにある。
【課題を解決するための手段】
【０００７】
上記目的を達成するため、請求項１記載の発明は、ハウジングとその開口部を覆うレンズによって画成される灯室内に、少なくとも光源と、該光源からの光を反射させるリフレクタと、該リフレクタと前記ハウジングとの間の隙間を覆うエクステンションを収容して成る車両用灯具において、前記ハウジングの前記レンズが回り込む一側部を前記エクステンションから露出させ、該露出部が前記レンズを介して直視できるよう構成したことを特徴とする。
【０００８】
請求項２記載の発明は、請求項１記載の発明において、前記ハウジングは樹脂成形品であって、該ハウジングの成形時に前記露出部に発生するウェルドラインを前記エクステンションの延長部で覆ったことを特徴とする。
【発明の効果】
【０００９】
請求項１記載の発明によれば、従来は隠されてレンズを介して見えることがなかったハウジングの一部を露出させ、その露出部を積極的に見せるようにしたため、エクステンションやリフレクタとは異なる色彩のハウジングの露出部がアクセントとなって車両用灯具に斬新なデザイン性（意匠性）が付与される。
【００１０】
請求項２記載の発明によれば、ハウジングの樹脂による射出成形時に露出部に不可避的に発生するウェルドラインをエクステンションの延長部によって覆って隠すようにしたため、ウェルドラインによる車両用灯具の外観性の低下が防がれる。
【図面の簡単な説明】
【００１１】
【図１】本発明に係る車両用灯具の分解斜視図である。
【図２】本発明に係る車両用灯具の正面図である。
【図３】本発明に係る車両用灯具の側面図である。
【発明を実施するための形態】
【００１２】
以下に本発明の実施の形態を添付図面に基づいて説明する。
【００１３】
図１は本発明に係る車両用灯具の分解斜視図、図２は同車両用灯具の正面図、図３は同車両用灯具の側面図であり、図示の車両用灯具１は、車両の前端左右に配置されるコンビネーションヘッドランプである。尚、左右のコンビネーションヘッドランプ１の基本構成は同じであるため、以下、一方のコンビネーションヘッドランプ１についてのみ図示及び説明する。
【００１４】
本実施の形態に係るコンビネーションヘッドランプ１は、ハウジング２とその前面開口部を覆うレンズ３によって画成される灯室内に、走行ビーム用ランプ４と、ポジションランプ５と、ターンシグナルランプ６及びエクステンション７を収容して構成されている。
【００１５】
上記ハウジング２は、黒色の光不透過性樹脂にて一体成形されており、その前面開口部を覆う前記レンズ３は光透過性の透明樹脂によって一体成形されている。ここで、レンズ３は、図３に示すように、その外側部が車体形状に沿って車体後方（図３の右方）へと回り込んでいる。
【００１６】
前記走行ビーム用ランプ４は、光源であるバルブ８（図２参照）と、該バルブ８から出射する光を車両前方に向けて反射させるためのリフレクタ９を備えており、前記ポジションランプ５は、光源であるバルブ１０（図２参照）を備えており、このバルブ１０から出射する光は前記リフレクタ９によって車両前方へと反射される。尚、本実施の形態では、リフレクタ９には銀色のアルミ蒸着が施されている。
【００１７】
前記ターンシグナルランプ６は、光源であるバルブ１１と、該バルブ１１から出射する光を反射させて所定の角度範囲に照射するためのリフレクタ１２を備えている。ここで、リフレクタ１２は、図１に示すように、前記エクステンション７と一体に成形されている。
【００１８】
前記エクステンション７は、リフレクタ９とハウジング２との間の隙間を覆って当該コンビネーションヘッドランプ１の意匠性を高めるためのものであって、本実施の形態では、図１に示すように、外側部が切り欠かれた枠状に形成されている。ここで、エクステンション７の内側部内側には前述のように有底円筒状のリフレクタ１２が一体に形成されており、エクステンション７全体には銀色のアルミ蒸着が施されている。
【００１９】
従って、以上のように構成されたコンビネーションヘッドランプ１においては、色彩的には黒色のハウジング２と、透明なレンズ３及び銀色のリフレクタ９とエクステンション７が混在している。
【００２０】
而して、本実施の形態に係るコンビネーションヘッドランプ１においては、黒色部品であるハウジング２のレンズ３が回り込む外側部を銀色部品であるエクステンション７から露出させ、その露出部（図３においてハッチングを付した箇所）２Ａが透明なレンズ３を介して直視できるよう構成している。
【００２１】
ところで、ハウジング２の樹脂による射出成形時には、露出部２Ａに不可避的にウェルドラインが発生するが、本実施の形態では、このウェルドラインをエクステンション７の延長部によって覆い隠すようにしている。換言すると、ウェルドラインがエクステンション７の延長部で覆われる箇所に発生するようにしている。尚、ウェルドラインは、溶融樹脂を金型の成形空間（キャビティ）に充填する際に異なる方向から流れてきた溶融樹脂の各先端同士が合流する部分に発生し、製品の見栄えを低下させる原因となるものである。
【００２２】
以上のように、本実施の形態に係るコンビネーションヘッドランプ１においては、従来は隠されてレンズ３を介して見えることがなかったハウジング２の一部を露出させ、この露出部２Ａを積極的に見せるようにしたため、エクステンション７やリフレクタ９とは異なる色彩のハウジング２の露出部２Ａがアクセントとなって当該コンビネーションヘッドランプ１に斬新なデザイン性（意匠性）が付与される。
【００２３】
又、本実施の形態では、ハウジング２の樹脂による射出成形時に露出部２Ａに不可避的に発生するウェルドラインをエクステンション７の延長部によって覆って隠すようにしたため、ウェルドラインによるコンビネーションヘッドランプ１の外観性の低下が防がれるという効果も得られる。
【００２４】
尚、以上は本発明をコンビネーションヘッドランプに対して適用した形態について説明したが、本発明は、他の任意の車両用灯具に対しても同様に適用可能であることは勿論である。
【符号の説明】
【００２５】
１          コンビネーションヘッドランプ（車両用灯具）
２          ハウジング
２Ａ        ハウジングの露出部
３          レンズ
４          走行ビーム用ランプ
５          ポジションランプ
６          ターンシグナルランプ
７          エクステンション
８          バルブ
９          リフレクタ
１０，１１  バルブ
１２        リフレクタ
【図１】
2014120299.tif 000003
【図２】
2014120299.tif 000004
【図３】
2014120299.tif 000005